(57)【要約】【課題】オペレータによる、伝票の手書き欄の文字認識結果の修正作業をしやすくする。【解決手段】取得部４０は、手書き欄を含むイメージを取得し、文字認識部４２は、手書き欄の欄内を対象として文字認識処理を実行する。そして、拡大表示有無判断部４４及び表示制御部４６は、文字認識処理による文字認識の確からしさを示す値（正読率）に基づいて、前記手書き欄に加えて前記手書き欄の周辺領域を含む領域を表示対象に含めるか否かを制御する。【選択図】図３
2015049653.tif 000002
【特許請求の範囲】
【請求項１】
手書き欄を含むイメージデータを取得し、
前記手書き欄の欄内を対象として文字認識処理を実行し、
前記文字認識処理による文字認識の確からしさを示す値に基づいて、前記手書き欄に加えて前記手書き欄の周辺領域を含む領域を表示対象に含めるか否かを制御する、
処理をコンピュータが実行することを特徴とする表示方法。
【請求項２】
前記手書き欄に加えて前記手書き欄の周辺領域を含む領域を表示する際に、前記文字認識処理の結果も表示する、ことを特徴とする請求項１に記載の表示方法。
【請求項３】
前記文字認識の確からしさを示す値は、文字認識の結果が確からしいほど大きくなる値であり、
前記制御する処理では、
前記文字認識の確からしさを示す値が予め定められた値よりも大きい場合に、前記手書き欄を前記表示対象とし、
前記文字認識の確からしさを示す値が予め定められた値よりも小さい場合に、前記手書き欄に加えて前記手書き欄の周辺領域を含む領域を前記表示対象とすることを特徴とする請求項１又は２に記載の表示方法。
【請求項４】
手書き欄を含むイメージデータを取得し、
前記手書き欄の欄内を対象として文字認識処理を実行し、
前記文字認識処理による文字認識の確からしさを示す値に基づいて、前記手書き欄に加えて前記手書き欄の周辺領域を含む領域を表示対象に含めるか否かを制御する、処理をコンピュータに実行させることを特徴とする表示プログラム。
【請求項５】
手書き欄を含むイメージデータを取得する取得部と、
前記手書き欄の欄内を対象として文字認識処理を実行する文字認識部と、
前記文字認識処理による文字認識の確からしさを示す値に基づいて、前記手書き欄に加えて前記手書き欄の周辺領域を含む領域を表示対象に含めるか否かを制御する制御部と、を備える表示装置。
【発明の詳細な説明】
【技術分野】
【０００１】
本発明は、表示方法、表示プログラム及び表示装置に関する。
【背景技術】
【０００２】
金融機関の窓口における業務では、顧客による手書き伝票が利用される。手書き伝票に手書きされる項目には、例えば口座番号や振込先や本人の名前などがある。これらの項目は、後続の処理においてデータとして扱うために、それぞれＯＣＲ（Optical Character Reader）による文字認識の対象とされる。窓口のオペレータは、文字認識された結果が正しいか否かを、実際に記入された文字列のイメージデータと、文字認識された結果とが並べて画面表示されたチェック用の画面を視認することでチェックする。そして、チェックの結果、文字認識が正しくなかったり、文字認識ができなかったりした箇所については、オペレータがイメージデータを見て、正しいデータに修正する。
【０００３】
従来においては、読み取り不能文字の修正を行いやすくするため、読み取り不能文字が属するフィールドのイメージを拡大表示する技術が知られている（例えば、特許文献１参照）。
【先行技術文献】
【特許文献】
【０００４】
【特許文献１】特開平１−２６０５８８号公報
【発明の概要】
【発明が解決しようとする課題】
【０００５】
しかしながら、上記特許文献１のように、読み取り不能文字が属するフィールドのイメージを拡大表示した場合でも、オペレータが修正作業を行う際に、手書き伝票そのもの又は手書き伝票全体のイメージを確認しなければ修正ができない場合がある。
【０００６】
１つの側面では、本発明は、伝票の手書き欄の文字認識結果の修正をしやすくすることが可能な表示方法、表示プログラム及び表示装置を提供することを目的とする。
【課題を解決するための手段】
【０００７】
一つの態様では、表示方法は、手書き欄を含むイメージデータを取得し、前記手書き欄の欄内を対象として文字認識処理を実行し、前記文字認識処理による文字認識の確からしさを示す値に基づいて、前記手書き欄に加えて前記手書き欄の周辺領域を含む領域を表示対象に含めるか否かを制御する、処理をコンピュータが実行する表示方法である。
【０００８】
一つの態様では、表示プログラムは、手書き欄を含むイメージデータを取得し、前記手書き欄の欄内を対象として文字認識処理を実行し、前記文字認識処理による文字認識の確からしさを示す値に基づいて、前記手書き欄に加えて前記手書き欄の周辺領域を含む領域を表示対象に含めるか否かを制御する、処理をコンピュータに実行させるプログラムである。
【０００９】
一つの態様では、表示装置は、手書き欄を含むイメージデータを取得する取得部と、前記手書き欄の欄内を対象として文字認識処理を実行する文字認識部と、前記文字認識処理による文字認識の確からしさを示す値に基づいて、前記手書き欄に加えて前記手書き欄の周辺領域を含む領域を表示対象に含めるか否かを制御する制御部と、を備えている。
【発明の効果】
【００１０】
伝票の手書き欄の文字認識結果の修正をしやすくすることができる。
【図面の簡単な説明】
【００１１】
【図１】一実施形態に係る伝票処理システムの構成を概略的に示す図である。
【図２】図２（ａ）は、サーバのハードウェア構成を示す図であり、図２（ｂ）は、オペレータ端末のハードウェア構成を示す図である。
【図３】サーバ及びオペレータ端末の機能ブロック図である。
【図４】振込伝票の一例（正しく記入された例）を示す図である。
【図５】候補文字テーブルの一例を示す図である。
【図６】項目ＤＢの一例を示す図である。
【図７】振込伝票の一例（文字のはみ出しや訂正がある例）を示す図である。
【図８】一実施形態における処理画面を示す図である。
【図９】オペレータ端末による処理を示すフローチャートである。
【図１０】図９の正読率判定処理を示すフローチャートである。
【図１１】図９の画面表示処理を示すフローチャートである。
【図１２】比較例に係る処理画面を示す図である。
【図１３】比較例において利用される分割画面を示す図である。
【発明を実施するための形態】
【００１２】
以下、一実施形態について、図１〜図１３に基づいて詳細に説明する。図１には、一実施形態に係る伝票処理システム１００が概略的に示されている。
【００１３】
本実施形態の伝票処理システム１００は、図１に示すように、サーバ１０と、オペレータ端末２０と、スキャナ６０と、を備える。サーバ１０、オペレータ端末２０及びスキャナ６０は、インターネットやＬＡＮ（Local Area Network）などのネットワーク８０に接続されている。なお、スキャナ６０は、オペレータ端末２０に対してＵＳＢ（Universal Serial Bus）ケーブル等を介して接続されていてもよい。
【００１４】
サーバ１０は、銀行の支店やデータセンタに設置されるサーバであるものとする。図２（ａ）には、サーバ１０のハードウェア構成が示されている。図２（ａ）に示すように、サーバ１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、表示部９３、入力部９５、ネットワークインタフェース９７、及び可搬型記憶媒体用ドライブ９９等を備えている。これらサーバ１０の構成各部は、バス９８に接続されている。表示部９３は、液晶ディスプレイ等を含み、入力部９５は、キーボードやマウス、タッチパネル等を含む。サーバ１０では、ＲＯＭ９２あるいはＨＤＤ９６に格納されているプログラム、或いは可搬型記憶媒体用ドライブ９９が可搬型記憶媒体９１から読み取ったプログラムをＣＰＵ９０が実行することにより、図３に示すデータ受付部３０としての機能が実現される。データ受付部３０は、オペレータ端末２０それぞれから送信されてくる振込データを振込ＤＢ（database）３２に格納する。
【００１５】
オペレータ端末２０は、銀行窓口のオペレータが利用する端末である。図２（ｂ）には、オペレータ端末２０のハードウェア構成が示されている。図２（ｂ）に示すように、オペレータ端末２０は、ＣＰＵ１９０、ＲＯＭ１９２、ＲＡＭ１９４、記憶部（ＨＤＤ）１９６、表示部１９３、入力部１９５、ネットワークインタフェース１９７、及び可搬型記憶媒体用ドライブ１９９等を備えており、オペレータ端末２０の構成各部は、バス１９８に接続されている。表示部１９３は、液晶ディスプレイ等を含み、入力部１９５は、キーボードやマウス、タッチパネル等を含む。オペレータ端末２０においては、ＲＯＭ１９２あるいはＨＤＤ１９６に格納されているプログラム（表示プログラムを含む）、或いは可搬型記憶媒体用ドライブ１９９が可搬型記憶媒体１９１から読み取ったプログラム（表示プログラムを含む）をＣＰＵ１９０が実行することで、図３に示す取得部４０、文字認識部４２、拡大表示有無判断部４４、表示制御部４６、確定データ送信部４８としての機能が実現される。なお、図３には、ＨＤＤ１９６等に格納されているイメージＤＢ５０、候補文字テーブル５２、及び項目ＤＢ５４も図示されている。
【００１６】
取得部４０は、スキャナ６０で生成された画像データ（イメージ）を取得し、イメージＤＢ５０に格納する。ここで、イメージＤＢ５０には、図４に示すような伝票（振込伝票）の画像データが格納される。ここで、振込伝票には、振込指定日、振込先の金融機関（銀行名、支店名）、預金種目（普通・当座・貯蓄・その他）、口座番号、金額、受取人、依頼人の各入力欄が設けられている。振込依頼人は、各入力欄に対して主に手書きで文字を記入することが可能である。なお、図４は、振込伝票の各欄に文字が正しく記入された例を示している。
【００１７】
文字認識部４２は、イメージＤＢ５０に格納されたイメージの手書き欄（図４の各項目の矩形枠内）に記入された文字をＯＣＲ（Optical Character Reader）機能を用いて認識し、認識結果を候補文字テーブル５２に格納する。ここで、候補文字テーブル５２は、図５に示すようなデータ構造を有している。なお、図５では、一例として、図７に示す振込伝票の「口座番号」の欄（一部）の認識結果を格納した候補文字テーブル、及び「お受取人」の欄（一部）の認識結果を格納した候補文字テーブルを示している。候補文字テーブル５２には、文字認識部４２が手書き文字を認識した結果、候補に挙がった文字（候補文字）と、認識の際の正読率（文字認識の確からしさを表す度合）と、が格納される。また、候補文字テーブル５２には、候補文字のうち正読率が所定の閾値（ここでは、５０％とする）以上で最も正読率が高いものが認識結果として格納される。なお、正読率が所定の閾値以上の候補文字が存在しない場合には、候補文字テーブル５２の認識文字の欄に「？（リジェクト）」が格納される。ここで、図７の振込伝票では、図４と異なり、「口座番号」の欄の数字が手書き欄からはみ出しており、「お受取人」の欄の一部が訂正されている。これに対し、文字認識部４２は、手書き欄内のイメージを用いて文字認識するため、図５に示されている正読率は、通常よりも低くなっている。
【００１８】
拡大表示有無判断部４４は、候補文字テーブル５２から各文字の認識結果及び正読率を取得し、各文字を拡大表示するか否か（すなわち、手書き欄に加えて手書き欄の周辺領域を含む領域を表示対象に含めるか否か）を判断する。また、拡大表示有無判断部４４は、取得した認識結果及び正読率と、判断結果（拡大表示するか否か）と、を項目ＤＢ５４に格納する。ここで、項目ＤＢ５４は、図６に示すように、項目名と、内容（イメージ／認識文字／正読率／拡大表示）の各フィールドを有する。なお、拡大表示の項目には、拡大表示を行う場合には拡大表示フラグとして「１」が入力され、拡大表示を行わない場合には拡大表示フラグとして「０」が入力される。
【００１９】
表示制御部４６は、項目ＤＢ５４を参照して、オペレータが記入内容を確認し、文字認識結果を修正するための処理画面（図８参照）を表示部１９３上に表示させる。ここで、図８の処理画面は、手書き欄のイメージと、文字認識結果とが並べて表示された画面である。なお、オペレータは、処理画面上で、手書き欄のイメージと文字認識結果とを照合して、文字認識結果が正しいか誤っているかを確認するとともに、誤っている場合には正しい文字に修正する作業を行う。
【００２０】
確定データ送信部４８は、処理画面上でオペレータが内容を確認し、修正した後の確定データを、サーバ１０（データ受付部３０）に対して送信する。
【００２１】
図１に戻り、スキャナ６０は、図４や図７に示すような伝票（振込伝票）を読み込んで画像データ（イメージ）を生成する装置である。スキャナ６０で生成されたイメージは、図３に示すオペレータ端末２０の取得部４０に入力される。
【００２２】
次に、本実施形態におけるオペレータ端末２０の処理について、図９〜図１１のフローチャートに沿って、その他図面を適宜参照しつつ、詳細に説明する。
【００２３】
図９は、オペレータ端末２０の一連の処理を示すフローチャートであり、図１０は、図９のステップＳ１４の具体的処理を示すフローチャートであり、図１１は、図９のステップＳ１６の具体的処理を示すフローチャートである。
【００２４】
図９の処理では、まず、ステップＳ１０において、取得部４０が、スキャナ６０によって伝票が読み取られるまで待機する。スキャナ６０で伝票が読み取られ、生成されたイメージが送信されてきた段階で、取得部４０は、ステップＳ１１に移行する。
【００２５】
ステップＳ１１に移行すると、取得部４０は、取得したイメージをイメージＤＢ５０に格納する。次いで、ステップＳ１２では、文字認識部４２が、文字認識処理を実行する。具体的には、文字認識部４２は、ＯＣＲ機能を用いて、各手書き欄（矩形枠）内の文字認識を行い、候補文字、正読率、及び認識結果を候補文字テーブル５２に格納する。
【００２６】
次いで、ステップＳ１４では、拡大表示有無判断部４４が、正読率判定処理のサブルーチンを実行する。この場合、拡大表示有無判断部４４は、正読率判定処理のサブルーチンとして、図１０のフローチャートに沿った処理を実行する。
【００２７】
図１０の処理では、まず、ステップＳ２０において、拡大表示有無判断部４４が、最初の文字の正読率を取得する。例えば、拡大表示有無判断部４４は、図６の項目名「振り込み指定日」の認識結果「２」の正読率「９８（％）」を取得する。
【００２８】
次いで、ステップＳ２２では、拡大表示有無判断部４４は、正読率が閾値未満か否かを判断する。ここでの閾値としては、正しく文字認識されている可能性が高いことを示す正読率（８０％）を採用することとする。ただし、これに限らず、閾値を適宜変更してもよい。ステップＳ２０で取得された正読率は９８％であるので、ステップＳ２２の判断は否定され、ステップＳ２４に移行する。
【００２９】
ステップＳ２４に移行すると、拡大表示有無判断部４４は、拡大表示フラグを「０」に設定し、項目ＤＢ５４の「拡大表示」のフィールドに「０」を格納する。
【００３０】
一方、ステップＳ２６に移行した場合、すなわち、正読率が閾値（８０％）未満であった場合、拡大表示有無判断部４４は、拡大表示フラグを「１」に設定し、項目ＤＢ５４の「拡大表示」のフィールドに「１」を格納する。
【００３１】
ステップＳ２４又はＳ２６を経た後は、ステップＳ２８において、拡大表示有無判断部４４が、候補文字テーブル５２に残文字があるか否かを判断する。ここでの判断が否定された場合、すなわち、候補文字テーブル５２内の全ての文字の拡大表示フラグの設定が終了した場合には、図１０の処理（ステップＳ１４）を終了し、図９のステップＳ１６に移行する。一方、ステップＳ２８の判断が肯定された場合、すなわち、候補文字テーブル５２に未処理の文字が残っている場合には、ステップＳ３０に移行する。
【００３２】
ステップＳ３０に移行すると、拡大表示有無判断部４４は、次の文字の正読率を取得する。その後は、拡大表示有無判断部４４は、ステップＳ２２〜Ｓ３０の処理・判断を繰り返す。そして、ステップＳ２８の判断が否定された段階で、図１０の全処理を終了し、図９のステップＳ１６に移行する。なお、図５に示されている６つの例では、全ての正読率（候補１の正読率）が８０％を下回っているので、これらの文字の拡大表示フラグは「１」となる。
【００３３】
図９に戻り、次のステップＳ１６では、表示制御部４６が、画面表示処理のサブルーチンを実行する。この場合、表示制御部４６は、画面表示処理のサブルーチンとして、図１１のフローチャートに沿った処理を実行する。
【００３４】
図１１の処理では、まず、ステップＳ４０において、表示制御部４６が、項目ＤＢ５４から、最初の文字の拡大表示フラグを取得する。ここでは、図６の項目ＤＢ５４の項目名「振り込み指定日」の認識結果「２」の拡大表示フラグ「０」を取得する。
【００３５】
次いで、ステップＳ４２では、表示制御部４６が、拡大表示フラグが「０」であるか否かを判断する。ここでの判断が肯定されると、ステップＳ４４に移行し、表示制御部４６は、処理画面（図８）において、手書き欄を拡大せずに通常表示する（図８の符号Ａ参照）。なお、手書き欄を拡大せずに表示するとは、項目ＤＢ５４に格納されているイメージそのものを表示することを意味する。ここで、オペレータが処理画面上のイメージを見ながら正しい文字に修正する作業を行う場合、表示部１９３の１画面の中に処理画面全体が入ることが好ましい。処理画面が１画面よりも大きいと、画面をスクロールする手間が発生し、チェックに長時間を要するおそれがあるからである。このため、処理画面を１画面に含めるならば、手書き欄に記入された文字のイメージを表示する領域を必要最小限の大きさにする必要がある。したがって、本実施形態では、原則（拡大表示フラグが０の場合）、手書き欄内のイメージそのもの（文字認識に用いたイメージ）を処理画面内に表示することとしている。
【００３６】
一方、ステップＳ４２の判断が否定された場合、すなわち、拡大表示フラグが１である場合には、ステップＳ４６に移行し、表示制御部４６は、拡大表示を実行する。なお、拡大表示については、後述する。
【００３７】
次いで、ステップＳ４８では、項目ＤＢ５４に未処理の文字が残っているか否かを判断する。ここでの判断が肯定されると、ステップＳ５０に移行し、表示制御部４６は、次の文字の拡大表示フラグを取得する。
【００３８】
その後は、表示制御部４６は、ステップＳ４２〜Ｓ５０の処理・判断を繰り返す。そして、ステップＳ４８の判断が否定された段階で、図１１の全処理を終了し、図９のステップＳ１８に移行する。
【００３９】
なお、例えば、ステップＳ５０において、項目ＤＢ５４の項目名「口座番号」の最初の文字の拡大表示フラグ「１」が取得された場合には、ステップＳ４２の判断が否定されるので、表示制御部４６は、ステップＳ４６に移行する。このステップＳ４６では、表示制御部４６は、項目ＤＢ５４に格納されているイメージそのものではなく、図７において破線枠Ｂで示される領域（拡大領域：手書き欄に加えて手書き欄の周辺領域を含む領域）のイメージを図８の処理画面上に表示する（図８の符号Ｄ参照）。これにより、手書き欄から文字がはみ出ているような場合でも、オペレータは、図８の処理画面上において、記入された文字の全体を確認することができる。
【００４０】
また、例えば、ステップＳ５０において、項目ＤＢ５４の項目名「受取人」のうち、「ｘ」に訂正線が付された欄の拡大表示フラグ「１」が取得された場合には、ステップＳ４６において、表示制御部４６は、項目ＤＢ５４に格納されているイメージそのものではなく、図７において破線枠Ｃで示される領域（拡大領域）のイメージを図８の処理画面上に表示する（図８の符号Ｅ参照）。これにより、手書き欄において文字を訂正した場合でも、オペレータは、処理画面上で訂正後の文字を確認することができる。
【００４１】
図１２には、上記のような処理を実行せずに、項目ＤＢ５４のイメージそのものを表示した処理画面の例（比較例）が示されている。この図１２の例では、符号Ｆで示すように、手書き欄からはみ出た文字の全体をオペレータが把握できないとともに、符号Ｇで示すように、訂正後の内容をオペレータが把握できなくなっている。このため、オペレータは、別途、手書きされた伝票そのものを確認したり、図１３に示すような伝票全体のイメージと処理画面とを含む分割画面を表示して、確認する必要があった。これに対し、本実施形態では、図８に示すように、文字が手書き欄からはみ出ていたり、文字が訂正された場合でも、処理画面上において、はみ出した文字全体や、訂正内容を確認することができるようになっている。
【００４２】
図９に戻り、次のステップＳ１８では、確定データ送信部４８が、オペレータによる確認・修正作業が終了するまで待機する。ここで、オペレータは、処理画面（図８）における作業が終了した場合に、特定のキーを押すなどして、確認・修正作業が終了したことをオペレータ端末２０に入力するようになっている。したがって、確定データ送信部４８は、オペレータからの確認・修正作業が終了したことを示す入力があった段階で、ステップＳ１９に移行する。
【００４３】
ステップＳ１９に移行すると、確定データ送信部４８は、確定データをサーバ１０（データ受付部３０）に送信する。確定データ、すなわち、振込データは、データ受付部３０において受信され、振込ＤＢ３２に格納される。なお、サーバ１０では、所定の振込処理（送金処理）も実行する。
【００４４】
これまでの説明から分かるように、本実施形態では、拡大表示有無判断部４４及び表示制御部４６により、文字認識処理による文字認識の確からしさを示す値に基づいて、手書き欄に加えて前記手書き欄の周辺領域を含む領域を表示対象に含めるか否かを制御する制御部としての機能が実現されている。
【００４５】
以上、詳細に説明したように、本実施形態によると、取得部４０は、手書き欄を含むイメージデータを取得し（Ｓ１１）、文字認識部４２は、手書き欄の欄内を対象として文字認識処理を実行する（Ｓ１２）。そして、拡大表示有無判断部４４及び表示制御部４６は、文字認識処理による文字認識の確からしさを示す正読率に基づいて、手書き欄に加えて手書き欄の周辺領域を含む領域を表示対象に含めるか否かを制御する（Ｓ１４，Ｓ１６）。ここで、本発明者は、伝票において手書き欄からはみ出して文字が記入された場合や、訂正線で訂正して手書き欄外に正しい文字が記入された場合などにおいて、文字認識の確からしさを示す値が低いこと、及び、これらの場合、オペレータが、手書き欄内を見ただけでは記入された文字を判別できないことを見出した。これに対し、本実施形態では、上記処理を行うことで、伝票内において、手書き欄からはみ出して文字が記入された場合や、訂正線を用いて修正された文字があった場合に、処理画面において、これら正読率の低い文字のイメージとして手書き欄よりも大きな領域のイメージを表示することが可能となっている。したがって、本実施形態では、手書き欄からはみ出して記入された文字や訂正線を用いて訂正された文字を、処理画面内において確認できるようにすることができる。このため、本実施形態では、オペレータによる、伝票の手書き欄の文字認識結果の修正作業をしやすくすることができる。また、本実施形態では、全ての文字の領域を拡大して表示する場合に比べて、処理画面の大きさを小さく抑えることができる。
【００４６】
なお、上記実施形態では、表示制御部４６が、イメージとして表示する伝票中の領域を拡大して表示する場合について説明したが、これに限られるものではない。例えば、記入された文字が小さすぎて正読率が低くなっているような場合には、手書き欄よりも小さい領域（記入された文字を含む領域）を表示（拡大表示）することとしてもよい。
【００４７】
なお、上記実施形態では、伝票が振込伝票である場合について説明したが、これに限らず、伝票は、金融機関や企業等で用いるその他の伝票であってもよい。
【００４８】
なお、上記実施形態では、オペレータ端末２０内において、図９〜図１１の処理を行う場合について説明したが、これに限られるものではない。例えば、サーバ１０が、図３の文字認識部４２、拡大表示有無判断部４４、表示制御部４６と同様の処理を実行することとしてもよい。この場合、サーバ１０の指示の下、サーバ１０で生成された処理画面がオペレータ端末２０の表示部１９３上に表示されることになる。
【００４９】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００５０】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００５１】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００５２】
上述した実施形態は本発明の好適な実施の例である。但し、これに限定されるものではなく、本発明の要旨を逸脱しない範囲内において種々変形実施可能である。
【００５３】
なお、以上の実施形態の説明に関して、更に以下の付記を開示する。
（付記１）  手書き欄を含むイメージデータを取得し、
前記手書き欄の欄内を対象として文字認識処理を実行し、
前記文字認識処理による文字認識の確からしさを示す値に基づいて、前記手書き欄に加えて前記手書き欄の周辺領域を含む領域を表示対象に含めるか否かを制御する、
処理をコンピュータが実行することを特徴とする表示方法。
（付記２）
前記手書き欄に加えて前記手書き欄の周辺領域を含む領域を表示する際に、前記文字認識処理の結果も表示する、ことを特徴とする付記１に記載の表示方法。
（付記３）  前記文字認識の確からしさを示す値は、文字認識の結果が確からしいほど大きくなる値であり、
前記制御する処理では、
前記文字認識の確からしさを示す値が予め定められた値よりも大きい場合に、前記手書き欄を前記表示対象とし、
前記文字認識の確からしさを示す値が予め定められた値よりも小さい場合に、前記手書き欄に加えて前記手書き欄の周辺領域を含む領域を前記表示対象とすることを特徴とする付記１又は２に記載の表示方法。
（付記４）  手書き欄を含むイメージデータを取得し、
前記手書き欄の欄内を対象として文字認識処理を実行し、
前記文字認識処理による文字認識の確からしさを示す値に基づいて、前記手書き欄に加えて前記手書き欄の周辺領域を含む領域を表示対象に含めるか否かを制御する、処理をコンピュータに実行させることを特徴とする表示プログラム。
（付記５）  前記手書き欄に加えて前記手書き欄の周辺領域を含む領域を表示する際に、前記文字認識処理の結果も表示する、ことを特徴とする付記４に記載の表示プログラム。
（付記６）  前記文字認識の確からしさを示す値は、文字認識の結果が確からしいほど大きくなる値であり、
前記制御する処理では、
前記文字認識の確からしさを示す値が予め定められた値よりも大きい場合に、前記手書き欄を前記表示対象とし、
前記文字認識の確からしさを示す値が予め定められた値よりも小さい場合に、前記手書き欄に加えて前記手書き欄の周辺領域を含む領域を前記表示対象とすることを特徴とする付記４又は５に記載の表示プログラム。
（付記７）  手書き欄を含むイメージデータを取得する取得部と、
前記手書き欄の欄内を対象として文字認識処理を実行する文字認識部と、
前記文字認識処理による文字認識の確からしさを示す値に基づいて、前記手書き欄に加えて前記手書き欄の周辺領域を含む領域を表示対象に含めるか否かを制御する制御部と、を備える表示装置。
（付記８）  前記手書き欄に加えて前記手書き欄の周辺領域を含む領域を表示する際に、前記文字認識処理の結果も表示する表示部を備える付記７に記載の表示装置。
（付記９）  前記文字認識の確からしさを示す値は、文字認識の結果が確からしいほど大きくなる値であり、
前記制御部は、
前記文字認識の確からしさを示す値が予め定められた値よりも大きい場合に、前記手書き欄を前記表示対象とし、
前記文字認識の確からしさを示す値が予め定められた値よりも小さい場合に、前記手書き欄に加えて前記手書き欄の周辺領域を含む領域を前記表示対象とすることを特徴とする付記７又は８に記載の表示装置。
【符号の説明】
【００５４】
２０  オペレータ端末（表示装置）
４０  取得部
４２  文字認識部
４４  拡大表示有無判断部（制御部の一部）
４６  表示制御部（制御部の一部）
１９０  ＣＰＵ（コンピュータ）
【図１】
2015049653.tif 000003
【図２】
2015049653.tif 000004
【図３】
2015049653.tif 000005
【図４】
2015049653.tif 000006
【図５】
2015049653.tif 000007
【図６】
2015049653.tif 000008
【図７】
2015049653.tif 000009
【図８】
2015049653.tif 000010
【図９】
2015049653.tif 000011
【図１０】
2015049653.tif 000012
【図１１】
2015049653.tif 000013
【図１２】
2015049653.tif 000014
【図１３】
2015049653.tif 000015